(57)【要約】      （修正有）【課題】簡単な方法でケーブルを角度付けされた位置に取り付けることができるケーブルコネクタを提供する。【解決手段】ケーブルコネクタは、第１の開口を有する第１の部分と、第１の部分に対して角度付けされた第２の開口を有する第２の部分とを備えるシールドスリーブ２を有する。第１の部分は、第１の開口とは反対側の第１の部分の長手方向軸上に位置決めされた第３の開口を有する。第２の部分は、第２の開口を第３の開口に接続するスリット形状開口を有する。ケーブル３は、第１の開口および第２の開口を通して誘導される。ケーブルの第１の端部が第３の開口を通ってシールドスリーブ２の第１の部分内に挿入される。ケーブル３は、ケーブル３の一部がスロット形状開口を通ってシールドスリーブ２の第２の部分内に移動し、ケーブル３の第２の端部がシールドスリーブ２の第２の開口から突出するように曲げられる。【選択図】図４ａ
0003230265.tif 000002
【実用新案登録請求の範囲】
【請求項１】
ケーブルコネクタであって、前記ケーブルコネクタは、
第１の開口を有する第１の部分と、前記第１の部分に対して角度付けされた第２の開口を有する第２の部分と、を有するシールドスリーブであって、前記第１の部分が、前記第１の部分の長手方向軸上の前記第１の開口とは反対側の第３の開口を有し、前記第２の部分が、前記第２の開口を前記第３の開口に接続するスロット形状開口を有することを特徴とする、シールドスリーブと、
前記シールドスリーブの前記第１の開口および前記第２の開口を通って誘導されるケーブルと、を有しており、
前記スロット形状開口の幅は前記ケーブルの外径よりも小さい、ケーブルコネクタ。
【請求項２】
前記第１の部分および前記第２の部分が、一体として形成されていることを特徴とする、請求項１に記載のケーブルコネクタ。
【請求項３】
前記第１の部分が、前記第２の部分に対して９０°で角度付けされることを特徴とする、請求項１または２に記載のケーブルコネクタ。
【請求項４】
前記第３の開口が、カバーによって閉じられることを特徴とする、請求項１から３のいずれか一項に記載のケーブルコネクタ。
【請求項５】
前記カバーが、いくつかのラッチ要素を用いて前記第１の部分に解放可能かつ導電的に接続されることを特徴とする、請求項４に記載のケーブルコネクタ。
【請求項６】
前記カバーが、前記スロット形状開口を少なくとも部分的に閉じる延長部を有することを特徴とする、請求項４または５に記載のケーブルコネクタ。
【請求項７】
前記第１の開口および前記第３の開口が円形であり、実質的に同じ直径を有することを特徴とする、請求項１から６のいずれか一項に記載のケーブルコネクタ。
【請求項８】
前記第２の開口が円形であり、前記第１の開口および前記第３の開口よりも小さい直径を有することを特徴とする、請求項７に記載のケーブルコネクタ。
【請求項９】
前記第２の部分の少なくとも一部が、前記第２の開口に向かって円錐状に先細になることを特徴とする、請求項８に記載のケーブルコネクタ。
【請求項１０】
請求項１から９のいずれか一項に記載のケーブルコネクタを製造するための方法であって、
−前記ケーブルの第１の端部を、前記第３の開口を通して前記シールドスリーブの前記第１の部分内に導入するステップと、
−前記ケーブルの前記第１の端部を、前記第１の開口を通して前記シールドスリーブの前記第１の部分から誘導するステップと、
−前記ケーブルの一部が前記スロット形状開口を通って前記シールドスリーブの前記第２の部分に移動し、前記ケーブルの第２の端部が前記シールドスリーブの前記第２の開口から突出するように前記ケーブルを曲げるステップと、を含む、方法。
【請求項１１】
前記ケーブルの前記一部が前記スロット形状開口を通って移動すると、前記ケーブルのワイヤが前記スロット形状開口を通って連続して移動することを特徴とする、請求項１０に記載の方法。
【請求項１２】
前記シールドスリーブの前記第３の開口が、前記ケーブルの前記曲げ後にカバーによって閉じられることを特徴とする、請求項１０または１１に記載の方法。
【請求項１３】
前記シールドスリーブが、請求項９に記載のシールドスリーブであり、前記ケーブルの前記一部が前記第２の部分内に移動した後に、ケーブルシールドの円錐形部分が前記シールドスリーブの前記第２の部分の前記円錐形領域上に誘導されることを特徴とする、請求項１０から１２のいずれか一項に記載の方法。
【考案の詳細な説明】
【技術分野】
【０００１】
本考案は、シールドスリーブを有するケーブルコネクタ、ならびにケーブルコネクタの製造方法に関する。
【背景技術】
【０００２】
例えば高周波数レンジのラインなどの電気ラインをシールドすることが必要なこともある。これはケーブルシールドによって実現される。しかしながら、時々ケーブルコネクタにおいて、ケーブルとコネクタとの間の移行領域にケーブルシールドを配置することができない場合がある。それにもかかわらず、電気シールドを確実にするために、ケーブルが金属シールドスリーブによってその位置に誘導される。
【０００３】
組み立てられたシールドケーブルは、ストレートプラグおよび角度付きプラグの両方を有することができる。ストレートシールドプラグでは、閉じたシールドスリーブをケーブルの上に位置決めし、それをプラグ部分に接続するのは簡単である。この目的達成のために、例えば、シールドスリーブを、はんだ付け、圧着、または圧接コネクタによるコンタクト接続の手前でケーブル上にすべらせ、コネクタの絶縁体に押し付け、コンタクト接続後に締結する。
【０００４】
角度付きシールドコネクタで、それに対応して角度付けされたシールドスリーブは効果的にコーナーの周りでケーブルの上に引っ張られなければならず、組み立て中それは非常に困難、また不可能であり、特により厚い、したがってより堅いケーブルではそうである。さらに、取り扱い中に発生する力のために、これらの力がコンタクト接続部、すなわちはんだ点、圧着点または圧接点を引っ張り、これらを損傷するという恒久的な危険がある。
【０００５】
スタンプされた部品の形態のシールドスリーブは、ＥＰ１９８１１３２Ｂ１から公知であり、それは最初にケーブル上に引っ張られ、次いでケーブル接続後に対応する端部位置に曲げられなければならない。シールドスリーブのそれに続く曲げは手で行わなければならず、この目的達成のためにケーブルを曲げて定位置に保持しなければならない。
【０００６】
独特許公開第１０２００５０２２２５３Ａ１号および国際公開第２００８／０６１５７２Ａ２号は、それぞれ接続後にケーブルコネクタの絶縁体の上に位置決めすることができるシールドスリーブの二部品設計を記載している。しかしながら、この目的達成のために、ケーブルを曲げて所定の位置に保持し、２つのシールド半体を同時に取り付けなければならない。
【０００７】
本考案の目的は、穏やかなコンタクト接続を用いる簡単な方法でケーブルを角度付けされた位置に取り付けることができるケーブルコネクタを提供することである。さらに、本考案の目的は、そのようなケーブルコネクタの製造方法を提供することである。
【考案の概要】
【課題を解決するための手段】
【０００８】
この目的は、本考案によるケーブルコネクタによって本考案の第１の態様において解決される。このコネクタは、第１の開口を有する第１の部分を有し、かつ第１の部分に対して角度付けされた第２の開口を有する第２の部分を有するシールドスリーブを有する。第１の部分は、さらに第３の開口を有し、第３の開口は、第１の部分の長手方向軸上の第１の開口とは反対側にある。第２の部分は、第２の開口を第３の開口に接続するスロット形状開口を有する。したがってシールドスリーブの第１の部分は、その形態において、従来のストレートシールドコネクタ用シールドスリーブに対応する。丁度これらの従来のストレートシールドスリーブにおけると同様に、ケーブルを曲げることなく簡単な方法で第１の部分の２つの開口を通ってケーブルを誘導することが可能である。その第１の開口を有する第１の部分およびその第２の開口を有する第２の部分は、角度付きケーブルコネクタ用シールドスリーブの形状を同時に形成する。ケーブルが第１の部分に導入されるとすぐに、ケーブルは曲げによってスロット形状開口を通って第２の部分に部分的に移すことができ、したがって簡単な方法で角度付けされた位置にもたらし得る。さらに、ケーブルコネクタはそのようなケーブルを有し、それはシールドスリーブの第１の開口および第２の開口を通って誘導される。このようにしてケーブルコネクタ内のケーブルの角度付き配置が実現され、それにより角度付きシールドケーブルコネクタとして機能することができる。
【０００９】
２つの部分からなるシールドスリーブとは異なり、簡単な組み立ては、第１の部分と第２の部分とが好ましくは一体的に形成されることによって可能とすることができる。これを達成するために、第２の部分は、例えば、第１の部分上に成形することができる。
【００１０】
シールドスリーブによって良好な電気シールドを確実にするために、このスリーブは、好ましくは、例えば銅のような金属または例えば真ちゅうのような金属合金からなる。
【００１１】
シールドスリーブの第１の部分を通すケーブルの簡単な押し込みは、好ましくは、第１の開口および第３の開口が円形であり、実質的に同じ直径を有することによって可能にされる。この直径は、第１の部分の実質的に円筒形形状で最大に選択することができる。
【００１２】
第２の開口もまた、円形であり、第１の開口および第３の開口よりも小さい直径を有することが好ましい。これは、第２の部分の少なくとも一部が第２の開口に向かって円錐状に先細になることによって特に好ましく達成される。これにより、ケーブルシールドが特に簡単な方法で第２の部分を摺動することが可能になる。
【００１３】
原理的には、第１の部分と第２の部分との間に任意の角度を選択することができる。しかしながら、市販の角度付きケーブルコネクタとしてケーブルコネクタの設計を可能にするためには、第１の部分は、第２の部分に対して９０度で角度付けされることが好ましい。
【００１４】
もはや第３の開口を通さず、むしろ第１および第２の開口を通ってのみの方法で、ケーブルがシールドスリーブ内に位置決めされた後は、第２の開口はもはやケーブルを受容する必要がない。実際に、それはシールドスリーブのシールド効果を弱める。したがって、第３の開口はカバーによって閉じられることが好ましい。カバーは、良好な導電性を確実にするために、特にシールドスリーブの第１の部分および第２の部分と同じ材料からなる。
【００１５】
ケーブルを曲げた後のカバーの簡単な取り付けを可能にするために、カバーは、いくつかのラッチ要素を用いて解放可能かつ導電的に第１の部分に接続されることが好ましい。
【００１６】
カバーは、少なくとも部分的にスロット形状開口を閉じる延長部を有することがさらに好ましい。延長部は、スロット形状開口と係合することによって、カバーを追加的にその位置に確保する。さらに、シールドスリーブによるケーブルのエンクロージャ、前記エンクロージャはスロット形状開口によって中断されている、は、延長部によって部分的に完成される。
【００１７】
ケーブルのワイヤは、好ましくはシールドスリーブ内に配置され、一方、ケーブルのケーブルシールドはシールドスリーブの外側に配置される。これは、ワイヤが簡単な方法でスロット形状開口を通って移動することができ、ケーブルシールドが外側に配置されているため、ケーブルコネクタの簡単な製造を可能にし、ケーブルシールドおよびシールドスリーブから成るシールドの良好な接続が実現され得る。
【００１８】
第２の態様において、本考案は、ケーブルコネクタの製造方法に関する。この方法では、ケーブルの第１の端部が第３の開口を通ってシールドスリーブの第１の部分にまず導入される。ケーブルの第１の端部は続いて、シールドスリーブの第１の部分から第１の開口を通って再び誘導される。このようにして、ケーブル配索は、ストレートシールドプラグのシールドスリーブ内のケーブルの位置決めに対応する。続いて、ケーブルの一部がスロット形状開口を通ってシールドスリーブの第２の部分内に移動するように、ケーブルが曲げられる。これは、ケーブルの第２の端部がシールドスリーブの第２の開口から突出することにつながる。第２の開口の直径がケーブルの外径よりも小さい場合、ケーブルはこのようにして第２の開口にしっかりとクランプ締めされ得る。
【００１９】
第２の部分の内径が第２の開口に向かって先細になるようにシールドスリーブの第２の部分が第２の開口の領域内で先細にされると、ケーブルシールドの円錐状に広がる領域は、好ましくはシールドスリーブの第２の部分の円錐領域上を摺動する。このようにして、ケーブルシールドは円錐領域のギャップ形状の開口を覆い、そうして完全シールドが確実にされる。シールドスリーブへのケーブルシールドの締結は、例えば、具体的にスナップリングによるクランプ締めによって、またははんだ付けによって可能である。
【００２０】
一方で、可能な限りケーブルのエンクロージャを完全にし、そうして良好なシールドを確実にするために、および他方、シールドスリーブの第２の部分からのケーブルの意図しない移動を回避するためにも、スロット形状開口の幅はケーブルの外径よりも小さいことが好ましい。ケーブルのその部分を、スロット形状状開口を通って移動させるとき、それでもスロット形状開口を通ってケーブルを移動させることができるようにするために、ケーブルのワイヤはスロット形状状開口を通って個別に移動する。
【００２１】
ケーブルの曲げの後、第３の開口は、好ましくは、第３の開口の領域でシールドを完成させるためにカバーによって閉じられる。
【００２２】
ケーブルのコンタクトは、例えばラッチにより、特に第１の開口に締結された絶縁体内に配置することができる。締結は、ケーブルをシールドスリーブに導入する前にすでに実行可能であり、あるいはその後のみに実行可能である。しかし、好ましくは、ケーブルの曲げの前に実行される。
【図面の簡単な説明】
【００２３】
【図１】図１は、本考案の例示的実施形態によるケーブルコネクタのいくつかの構成要素の等角図を示す。
【図２ａ】図２ａは、部分的に組み立てられた状態の本考案の第１の例示的実施形態によるケーブルコネクタの構成要素の等角図を示す。
【図２ｂ】図２ｂは、図２ａに示す構成要素を異なる等角図で示す。
【図３】図３は、シールドスリーブの開口がカバーによって閉じられている、本考案の第１の例示的実施形態の組み立てられた構成要素の等角図を示す。
【図４ａ】図４ａは、本考案の例示的実施形態によるケーブルコネクタを等角図で示す。
【図４ｂ】図４ｂは、図４ａによるケーブルコネクタの半透明の等角図を示す。
【考案を実施するための形態】
【００２４】
本考案の例示的実施形態によるケーブルコネクタを受容するために、図１に示すように、第１の絶縁体１、シールドスリーブ２およびケーブル３が設けられている。シールドスリーブ２は、切断されることなく製造される加圧ダイカスト部品の形状をした円筒形形状の第１の部分２１を有する。この第１の部分２１は、その両端部にそれぞれ円形の開口を有する。第１の開口２２は、第１の絶縁体１に面している。シールドスリーブ２の第２の部分２３は、第１の部分２１の長手方向軸に対して直角にシールドスリーブ２上に成形された円筒形の領域を有する。成形領域において、第１の部分２１の壁は、第１の部分２１の内部が第２の部分２３の内部に接続されるように割られている。第１の部分２１から離れて面する端部に、第２の部分２３は、第２の開口２４で終わる円錐状に先細になった領域を有する。この第２の開口２４の直径は、第１の開口２２の直径よりも小さい。ケーブル３は、第１の端部３１および第２の端部３２を有する。それはいくつかのワイヤ３３を含み、コンタクトホルダー３４を介してワイヤ３３にはんだ付けされるコンタクト３５に接続される。ワイヤ３３はケーブルシールド３６によって取り囲まれ、次いで、ケーブルシース３７を取り囲む。
【００２５】
図２ａおよび図２ｂに示すように、第１の絶縁体１は、図示されていないが、ラッチ要素がラッチされることによりシールドスリーブ２の第１の開口２２に締結されている。ケーブル３の第１の端部３１は、コンタクト３５が第１の絶縁体１に配置されるように、シールドスリーブ２の第３の開口２５を通り、ここで前記第３の開口は、第１の開口２２とは反対側にあり、第１の部分２１を通り、この部分から再び第１の開口部２２を通って誘導される。第２の開口２４は、ギャップ形状の開口２６によって第３の開口２５に接続されている。このギャップ形状の開口２６の幅は、ケーブル３の外径よりも狭いが、ワイヤ３３の外径よりも広い。シールドスリーブ２の外側にまだ位置するケーブル３の部分は、ワイヤ３３がギャップ形状の開口２６を通って連続して押されることによってシールドスリーブ２の第２の部分２３内に移動する。
【００２６】
図３に示すように、ケーブル３のケーブルシールド３６はここで、第２の部分２４の円錐領域上を摺動させることができ、そうしてこの領域のギャップ形状の開口２６を閉じる。それはスナップリング４によってその位置に固定される。
【００２７】
第１の部分２１は、第３の開口２５の縁部上で互いに反対側にある２つのラッチ要素２７を有する。ラッチ要素２８１、２８２をやはり有するカバー２８が第３の開口２５に当てられ、そうしてこの開口を閉じ、ラッチ要素２８１、２８２はシールドスリーブ２のラッチ要素２７とラッチし、カバー２８をその位置に固定する。カバー２８はさらに、ウェブ形状の延長部２８３を有し、ケーブルシールド３６によって閉じられていないスロット形状開口２７の領域を部分的に閉じる。
【００２８】
図４ａおよび図４ｂに示すように、シールドスリーブ２およびケーブルシース３７によって取り囲まれていないケーブルシールド３６の領域は、示されるケーブルコネクタ６を最終的に受容するために第２の絶縁体５の射出成形によって取り囲まれる。
【図１】
0003230265.tif 000003
【図２ａ】
0003230265.tif 000004
【図２ｂ】
0003230265.tif 000005
【図３】
0003230265.tif 000006
【図４ａ】
0003230265.tif 000007
【図４ｂ】
0003230265.tif 000008
【手続補正書】
【提出日】令和2年11月4日(2020.11.4)
【手続補正１】
【補正対象書類名】実用新案登録請求の範囲
【補正対象項目名】全文
【補正方法】変更
【補正の内容】
【実用新案登録請求の範囲】
【請求項１】
ケーブルコネクタであって、前記ケーブルコネクタは、
第１の開口を有する第１の部分と、前記第１の部分に対して角度付けされた第２の開口を有する第２の部分と、を有するシールドスリーブであって、前記第１の部分が、前記第１の部分の長手方向軸上の前記第１の開口とは反対側の第３の開口を有し、前記第２の部分が、前記第２の開口を前記第３の開口に接続するスロット形状開口を有することを特徴とする、シールドスリーブと、
前記シールドスリーブの前記第１の開口および前記第２の開口を通って誘導されるケーブルと、を有しており、
前記スロット形状開口の幅は前記ケーブルの外径よりも小さい、ケーブルコネクタ。
【請求項２】
前記第１の部分および前記第２の部分が、一体として形成されていることを特徴とする、請求項１に記載のケーブルコネクタ。
【請求項３】
前記第１の部分が、前記第２の部分に対して９０°で角度付けされることを特徴とする、請求項１または２に記載のケーブルコネクタ。
【請求項４】
前記第３の開口が、カバーによって閉じられることを特徴とする、請求項１から３のいずれか一項に記載のケーブルコネクタ。
【請求項５】
前記カバーが、いくつかのラッチ要素を用いて前記第１の部分に解放可能かつ導電的に接続されることを特徴とする、請求項４に記載のケーブルコネクタ。
【請求項６】
前記カバーが、前記スロット形状開口を少なくとも部分的に閉じる延長部を有することを特徴とする、請求項４または５に記載のケーブルコネクタ。
【請求項７】
前記第１の開口および前記第３の開口が円形であり、実質的に同じ直径を有することを特徴とする、請求項１から６のいずれか一項に記載のケーブルコネクタ。
【請求項８】
前記第２の開口が円形であり、前記第１の開口および前記第３の開口よりも小さい直径を有することを特徴とする、請求項７に記載のケーブルコネクタ。
【請求項９】
前記第２の部分の少なくとも一部が、前記第２の開口に向かって円錐状に先細になることを特徴とする、請求項８に記載のケーブルコネクタ。